(57)【要約】【課題】  薄型表示装置本体を収容する梱包箱（パッケージ）を小さく維持しつつ、開封時の表示画面の損傷を抑え、作業負担を軽減できる薄型表示装置の梱包箱、及び薄型表示装置を梱包した梱包箱の開封方法を提供すること。【解決手段】  薄型表示装置２０の梱包箱Ａは、薄型表示装置を収容する上部・下部パッケージケース１、１０と、その上部・下部パッケージケース内で薄型表示装置を位置決めする緩衝材１２と、を有し、少なくとも上部パッケージケース１には、薄型表示装置をそのパッケージケース内に梱包した状態で薄型表示装置へのスタンド機構３０の取り付けを許容するための開口部７ａを規定するミシン目６を形成する。梱包箱Ａの開封時には、薄型表示装置２０を梱包箱に梱包した状態で、開口部７ａを切り開いた開口７ｂから薄型表示装置にスタンド機構３０を取り付け、スタンド機構を取り付けた後に薄型表示装置を梱包箱から開封する。【選択図】  図２
2006160335.tif 000002
【特許請求の範囲】
【請求項１】
薄型表示装置を収容するパッケージケースと、該パッケージケース内で該薄型表示装置を位置決めする緩衝材と、を有する薄型表示装置の梱包箱において、
前記パッケージケースには、前記薄型表示装置を前記パッケージケース内に梱包した状態で、該薄型表示装置へのスタンド部材の取り付けを許容するための開口部を規定するミシン目が形成されていることを特徴とする薄型表示装置の梱包箱。
【請求項２】
前記パッケージケースは、縦断面略Ｕ状の底面パッケージケースと、縦断面上下反転した略Ｕ字形状の上面パッケージケースとを有することを特徴とする請求項１に記載の薄型表示装置の梱包箱。
【請求項３】
薄型表示装置を梱包した梱包箱の開封方法において、
前記薄型表示装置を梱包箱に梱包した状態で該薄型表示装置のスタンド部材の取り付けを許容する梱包箱の一部分を開口する開口形成工程と、
前記薄型表示装置を梱包箱に梱包した状態で、前記開口から前記薄型表示装置にスタンド部材を取り付けるスタンド取付工程と、
前記スタンド部材を取り付けた前記薄型表示装置を前記梱包箱から開封する開封工程と、
を有する薄型表示装置を梱包した梱包箱の開封方法。
【発明の詳細な説明】
【技術分野】
【０００１】
本発明は、液晶テレビ、プラズマテレビ、液晶モニター等の薄型表示装置を収納する梱包箱、および、その開封方法に関する。
【背景技術】
【０００２】
図３（ａ）は、スタンド機構１０２により支持された所謂薄型表示装置１００である液晶テレビの正面図を示しており、図３（ｂ）は薄型表示装置１００の裏面側斜視図を示している。
【０００３】
一般的な薄型表示装置１００は、表示部１０１の奥行幅Ｄ１（図３（ｂ））を狭く形成できる一方で、薄型表示装置１００を視聴者方向に向けて支えるためにその奥行幅Ｄ１以上の奥行き方向の幅Ｄ２（図３（ｂ））を有するスタンド機構１０２が必要となる。
【０００４】
そして、薄型表示装置１００を出荷や搬送用に梱包するにあたっては、薄型表示装置１００にスタンド機構１０２を取り付けた状態で図示しない梱包箱に梱包する場合（第１の従来技術）と、薄型表示装置１００からスタンド機構１０２を取り外した状態で図示しない梱包箱に梱包する場合（第２の従来技術）と、があった。
【発明の開示】
【発明が解決しようとする課題】
【０００５】
前記第１の従来技術の場合には、梱包箱から開封した状態でスタンド機構１０２が薄型表示装置１００に取り付けられているため、梱包箱から薄型表示装置１００を取り出しそのまま安定して置くことができるので開封処理、設置処理がスムースにできる一方で、梱包箱が大きくなる問題があった。
【０００６】
すなわち、梱包箱の奥行き方向の幅は、薄型表示装置１００の奥行幅Ｄ１ではなく、スタンド機構１０２の奥行幅Ｄ２以上の奥行きのある大きな梱包箱が必要となり、搬送効率が低下すると共に、保管等に広いスペースが必要となり、また、梱包箱や薄型表示装置１００を支持する緩衝材等自体も大きくなり、無駄の多い梱包方法となっていた。特に、表示画面が大型化する場合には薄型表示装置１００の奥行幅Ｄ１にはさほど変化がないものの、スタンド機構１０２は大きくする必要があり、その奥行幅Ｄ２も広くなるために上記問題が顕著に現れてくる。
【０００７】
逆に、前記第２の従来技術の場合には、スタンド機構１０２を薄型表示装置１００から取り外した状態で梱包するため、梱包箱の奥行幅は薄型表示装置１００の奥行幅Ｄ１に合わせて狭く出来、上記第１の従来技術の上記課題はないものの、逆に、薄型表示装置１００を梱包箱より開封した段階でスタンド機構１０２の取付作業が必要となり、係る取付作業時の表示画面等の損傷や、組立作業負担が問題となっていた。
【０００８】
すなわち、開封時のスタンド機構１０２を薄型表示装置１００に組み付ける作業では、平らな机などの台を用意し、そこに厚手の柔らかい布（毛布など）を敷き、その布の上に薄型表示装置１００を横にして載置してスタンド機構１０２を組み付けることとなるが、一般的にスタンド機構１００は表示部（画面）１０１の裏面側にビス１０３等により固定するため、表示部（画面）１０１を布側（下向き）に向けて置くこととなり、その時に表示部１０１を傷付ける問題があった。
【０００９】
また、表示部１０１は上記したようにデリケートな扱いが要求され、かつ、大型化の傾向により薄型表示装置１００の重量も重くなる傾向にあり、開封からスタンド取り付けまでの作業負担が大きくなってきている。
【００１０】
上記したように薄型表示装置の梱包及び開封に関しては、梱包箱を小さくする課題と開封時の破損や作業負担を減らす課題とはトレードオフの関係となっており、厄介な問題となっていた。
【００１１】
本発明は、前記の問題点を解消するためになされたものであって、薄型表示装置本体を収容する梱包箱（パッケージ）を小さく維持しつつ、開封時の表示画面の損傷を抑え、作業負担を軽減できる薄型表示装置の梱包箱、及び薄型表示装置を梱包した梱包箱の開封方法を提供することを目的とする。
【課題を解決するための手段】
【００１２】
本発明は、上記の目的を達成するため、次の構成を有する。
本発明の薄型表示装置の梱包箱は、薄型表示装置を収容するパッケージケースと、該パッケージケース内で該薄型表示装置を位置決めする緩衝材と、を有し、該パッケージケースには、該薄型表示装置を該パッケージケース内に梱包した状態で該薄型表示装置へのスタンド部材の取り付けを許容するための開口部を規定するミシン目が形成されていることを特徴とする。
【００１３】
さらに、前記パッケージケースは、縦断面略Ｕ状の底面パッケージケースと、縦断面上下反転した略Ｕ字形状の上面パッケージケースとを有することを特徴とする。この場合、少なくとも上面パッケージケースに開口部を規定するミシン目が形成される。
【００１４】
本発明の薄型表示装置を梱包した梱包箱の開封方法は、該薄型表示装置を梱包箱に梱包した状態で該薄型表示装置のスタンド部材の取り付けを許容する梱包箱の一部分を開口する開口形成工程と、該薄型表示装置を梱包箱に梱包した状態で、該開口から該薄型表示装置にスタンド部材を取り付けるスタンド取付工程と、該スタンド部材を取り付けた該薄型表示装置を該梱包箱から開封する開封工程と、を有する。
【発明の効果】
【００１５】
本発明の薄型表示装置の梱包箱にあっては、該パッケージケースにミシン目が形成されているため、係るミシン目に沿って開口部を形成するように該パッケージケースを引き裂くことで、係る開口部を介して薄型表示装置にスタンド部材を取り付けることができる。よって、梱包された状態の薄型表示装置にはスタンド部材が取り付けられていないので、梱包箱は薄くすることができた。さらに、スタンド部材の取り付け段階では薄型表示装置は梱包箱に梱包された状態にあるので、薄型表示装置を損傷することなくスタンド部材を取り付けられるとともに、スタンド取り付けに際して薄型表示装置を梱包箱から取り出したり、それを横たえたりするなどの慎重を要する作業は無く、開封時にはスタンド部材にて薄型表示装置を安定載置できるので、開封時の作業負担も大幅に軽減できた。
【００１６】
また、パッケージケースを縦断面略Ｕ状の底面パッケージケースと縦断面上下反転した略Ｕ字形状の上面パッケージケースとすることで、開封時には、上面パッケージケースを取り去り、底面パッケージケースからスタンド部材の付いた薄型表示装置を下ろすだけの作業となり、パッケージの上面から薄型表示装置を取り出す作業に較べて作業負担を軽減できた。
【００１７】
本発明の薄型表示装置を梱包した梱包箱の開封方法にあっては、該薄型表示装置を梱包箱に梱包した状態で該薄型表示装置のスタンド部材の取り付けを許容する梱包箱の一部分を開口する開口形成工程と、薄型表示装置を梱包箱に梱包した状態で、薄型表示装置のスタンド部材の取り付け部分に対向する梱包箱の一部分の開口から薄型表示装置にスタンド部材を取り付け、スタンド部材を取り付けた薄型表示装置を梱包箱から開封することとなるために、梱包された状態の薄型表示装置にはスタンド部材が取り付けられていないので、梱包箱は薄くすることができ、さらに、スタンド部材の取り付け段階では薄型表示装置は梱包箱に梱包された状態にあるので、薄型表示装置を損傷することなくスタンド部材を取り付けられるとともに、スタンド取り付けに際して薄型表示装置を梱包箱から取り出したり、それを横たえたりするなどの慎重を要する作業は無く、開封時にはスタンド部材にて薄型表示装置を安定載置できるので、開封時の作業負担も大幅に軽減できた。
【発明を実施するための最良の形態】
【００１８】
以下、本発明の実施形態に係る梱包箱を図１、図２を参照しつつ説明する。
図１は本実施形態に係る梱包箱の分解斜視図であり、図２は本実施形態に係る梱包箱を開封し、液晶テレビにスタンド機構を組み付ける場合の作用説明図である。
【００１９】
＜梱包箱＞
図１に示すように、本実施形態の梱包箱Ａは、上部パッキングケース１、下部パッキングケース８、及び複数の緩衝材１２を有しており、緩衝材１２で位置決めしつつ上部パッキングケース１と下部パッキングケース８により薄形表示装置２０を梱包する。
【００２０】
［上部パッキングケース１］
上部パッキングケース１は、底面に矩形の開口２を有する縦断面上下反転した略Ｕ字形状（ドーム形状）を成し、それぞれ矩形の上面３、狭側面４ａ、４ｂ、及び広側面５ａ、５ｂを有し、薄形表示装置２０を梱包可能な高さを有している。
【００２１】
広側面５ａは、梱包した薄形表示装置２０の表示画面２１との対向面であり、広側面５ｂは、梱包した薄形表示装置２０の背面２２との対向面である。尚、背面２２には図２に示すスタンド機構３０を取り付けるためのスタンド取り付け部２３が形成されている。
【００２２】
広側面５ｂには、梱包した薄形表示装置２０のスタンド取り付け部２３の対向部分にミシ目６により区画された矩形領域をなす開口部７ａが形成されている。尚、本実施形態では、組立作業の利便性を考慮し、開口部７ａはスタンド取り付け部２３の対向部分に設けたが、スタンド取り付け部２３に対して後述するスタンド機構３０の取り付けを許容できる位置であればよい。従って、開口部７ａは狭側面４ａ、４ｂ、及び広側面５ａに設けてもよい。
【００２３】
ミシン目６は、広側面５ｂから開口部７ａを手や挟み、カッター等の切断手段により切り開くのに適した切れ目であればよく、その長さ、深さ等は上部パッキングケース１の材質や切断手段に基づき任意に決定できる。より望ましくは、手で切り開けるミシン目の形状であれば梱包の開封が容易となり望ましい。
【００２４】
また、ミシン目６は、開口部７ａを広側面５ｂから分離するように開口部７ａを包囲して設けてもよく、開口部７ａを広側面５ｂに対して左右方向又は上方方向に揺動開閉可能となるように開口部７ａの一辺又は一部にミシン目６を設けない部分を形成するように設けてもよい。
【００２５】
開口部７ａを広側面５ｂから分離するようにした場合には、開口７ｂ（図２）から薄形表示装置２０にスタンド機構３０を取り付ける際に開口部７ａが取り付け処理の邪魔となることを防げる。一方、開口部７ａを広側面５ｂに揺動開閉可能とすることで、開封作業時の梱包部材の散乱を防ぐことができる。
【００２６】
［下部パッキングケース８］
下部パッキングケース８は、上部パッキングケース１の開口２内に嵌合する上面開口の縦断面略Ｕ状（凹状）を成しており、下面９、側面部１０、開口部１１を有している。
【００２７】
下面９は、上部パッキングケース１の底面開口２に嵌合する形状を成しており、側面部１０は、下面９の４辺より任意の幅で立設しており、一部に開口部１１が形成されている。
【００２８】
開口部１１は、下部パッキングケース８に上部パッキングケース１を覆設した状態で開口部７ａと対向する部分に形成してある。
【００２９】
尚、本実施形態では、開口部１１を側面部１０に予め設けているが、開口部７ａと同様に側面部１０に開口部１１を形成可能なミシン目を形成し、開封時に開口部１１を形成してもよい。ただし、予め開口部１１を開口としておくことで、開封時の薄形表示装置２０へのスタンド機構３０の取り付け作業がスムースとなる。
【００３０】
［緩衝材１２］
緩衝材１２は、下部パッキングケース８に上部パッキングケース１を覆設した内部で薄形表示装置２０を位置決め可能な形状に設けられている。緩衝材１２は、梱包状態の薄形表示装置２０と下部パッキングケース８との間に少なくともスタンド機構３０を梱包状態の薄形表示装置２０に取り付け可能とする空間を梱包箱Ａ内に形成する形状としている。
【００３１】
＜薄形表示装置＞
薄形表示装置２０は、その下面の表示画面側の長さＬ１に較べて奥行方向幅Ｌ２が狭いために転倒を防ぐためのスタンド部材（例えば、図２のスタンド機構３０）を必要とする薄形の映像（動画や静止画）、文字、画像等の表示装置であり、例えば、液晶テレビ／モニタ、プラズマテレビ／モニタ、有機ＥＬテレビ／モニタ等である。
【００３２】
薄形表示装置２０は、表示画面２１の背面２２にスタンド機構３０（図２）を取り付けるためのスタンド取り付け部２３が形成されている。尚、本実施形態では、スタンド取り付け部２３を背面２２とする場合を説明するが、表示画面２１、図示しない下面、又は背面２２、表示画面２１、及び下面の何れかの組合せの位置にスタンド取り付け部２３を形成してもよい。例えば、薄形表示装置２０の下部にスタンド部材が凹凸係合するようにスタンド取り付け部を形成できる。
【００３３】
＜スタンド部材＞
スタンド機構３０は、図２に示すように、スタンド脚３１、スタンド支柱３２、表示装置取り付け部３３、支柱取り付け部３４、取り付けネジ３５とを有し、スタンド脚３１の支柱取り付け部３４にスタンド支柱３２を水平方向への回動可能に取り付けネジ３５により軸着されている。
【００３４】
表示装置取り付け部３３は、スタンド支柱３２に固定されており、薄形表示装置２０のスタンド取り付け部２３にネジ３６で定着可能となっている。
【００３５】
スタンド機構３０は、上記構成に限定するものではなく、薄形表示装置２０を希望、任意の高さに支持できる構成であればよい。例えば、スタンド脚３１、スタンド支柱３２、表示装置取り付け部３３までを一体的に形成してもよいが、スタンド脚３１とスタンド支柱３２を支柱取り付け部３４により軸着する構成とすることで、表示画面２１の向きの変更が容易となる共に、部品を細分化することで梱包の汎用性を高めることができる。
【００３６】
また、スタンド機構は１箇所に限定するものではなく、例えば、薄形表示装置２０の下部に凹凸係合するスタンド機構を複数個設ける等の構成でもよい。
【００３７】
尚、本実施の形態では、梱包箱Ａを上部パッキングケース１と下部パッキングケース８に分離する構成としたが、これに限定するものではなく、上部、下部パッキングケース１、８を一体的に形成しても良い。係るケースでは、開口部７ａと開口部１１は１箇所の開口部にまとめることができる。
【００３８】
次に、図１，２を参照しつつ梱包及び開封動作について説明する。
【００３９】
＜梱包時＞
梱包時には、スタンド機構３０を取り付けていない薄形表示装置２０の、例えば、四隅に緩衝材１２を嵌合し、薄形表示装置２０のスタンド取り付け部２３が下部パッキングケース８の開口部１１と対向するように下部パッキングケース８に位置決め載置する。そして、上部パッキングケース１を開口部７ａがスタンド取り付け部２３と対向するように下部パッキングケース８に覆設することで梱包処理がなされる。
【００４０】
上部、下部パッキングケース１、８を一体的に形成した場合には、薄形表示装置２０の梱包処理は梱包箱の上面まで薄形表示装置２０を持ち上げる作業が必要となるが、本実施の形態では、梱包箱Ａを上部パッキングケース１と下部パッキングケース８の分離構成としたことで、薄形表示装置２０を下部パッキングケース８の側面部１０の高さだけ持ち上げるだけで済み、梱包作業を軽減できる。
【００４１】
＜開封時＞
開封時には、ミシン目６に沿って開口部７ａを切り開き、開口７ｂを形成し（ステップ１）、スタンド機構３０を切り開いた開口７ｂから梱包箱Ａ内に挿入し（ステップ２）、梱包状態の薄形表示装置２０のスタンド取り付け部２３にスタンド機構３０の表示装置取り付け部３３をネジ３６により締着し（ステップ３）、上部パッキングケース１及び緩衝材１２を薄形表示装置２０から外し、薄形表示装置２０を下部パッキングケース８から下ろすことで薄形表示装置２０を梱包箱Ａから開封する（ステップ４）。
【００４２】
本実施の形態では、梱包箱Ａに梱包された状態の薄形表示装置２０にスタンド機構３０を取り付ける構成としたことで、梱包箱Ａの奥行幅はスタンド機構３０の奥行幅に影響されないために梱包箱Ａを薄型とできた。具体的には、図２の符号Ｄ３が本実施形態に係る梱包箱Ａの奥行幅Ｄ３を示し、符号Ｄ４が従来の梱包箱の奥行幅Ｄ４を示している。
【００４３】
さらに、梱包状態の薄形表示装置２０にスタンド機構３０を取り付けるために、安全にスタンド機構３０の取付処理を実行でき、従来のように別途柔らかい布を用意し、その上に薄形表示装置２０を横たえるなどの作業や処理が不要となり作業負担を格段に軽減でき、またその作業等に起因する損傷を防ぐことができた。
【００４４】
従って、従来トレードオフの関係にあり、両方の問題を同時に解決できなかった梱包箱の薄型化と、開封時の装置損傷の防止と作業負担の軽減とは、同意時に解決することができた。
【００４５】
また、薄形表示装置を壁掛け設置する場合には、スタンド機構は必要ないが、係る壁掛けタイプとスタンド部材を使用するタイプの薄型表示装置の梱包箱を共通の薄型の梱包箱とすることができ、梱包箱の製造コスト削減に寄与できた。
【産業上の利用可能性】
【００４６】
本実施の形態の梱包箱および開封方法は、デリケートな取り扱いが要求される薄形表示装置の梱包、開封に用いることができ、例えば、液晶テレビ、プラズマテレビ、等の梱包箱および開封方法に用いることができる。
【図面の簡単な説明】
【００４７】
【図１】本発明の実施形態に係る梱包箱の分解斜視図である。
【図２】本発明の実施形態に係る梱包状態の液晶テレビにスタンド機構を組み付ける場合の作用説明図である。
【図３】（ａ）は従来の薄型表示装置の正面図であり、（ｂ）は薄型表示装置の裏面側斜視図である。
【符号の説明】
【００４８】
Ａ  梱包箱
１  上部パッキングケース
６  ミシン目
７ａ  開口部
７ｂ  開口
１０  下部パッケージケース
１２  緩衝材
２０  薄型表示装置
３０  スタンド機構
【図１】
2006160335.tif 000003
【図２】
2006160335.tif 000004
【図３】
2006160335.tif 000005